(57)【特許請求の範囲】
【請求項１】
第１の表示部を有する第１の筐体と、
第２の表示部を有する第２の筐体と、
前記第１の表示部が外部に露出するとともに、前記第２の表示部が前記第１の筐体に覆い隠された閉状態から、前記第１の表示部および前記第２の表示部が外部に露出する開状態まで前記第１の表示部および前記第２の筐体を遷移させる連結機構と、
前記第１の表示部にコンテンツの少なくとも一部が表示されている状態において、前記第１の筐体および前記第２の筐体の連結状態の遷移にともなう前記第２の表示部の露出部分の面積の変化に応じて、前記第１の表示部および前記第２の表示部における前記コンテンツの表示を制御する制御部と、を備え、
前記制御部は、前記第１の筐体および前記第２の筐体の遷移にともなう前記露出部分の面積の変化に応じて、前記第１の表示部および前記第２の表示部に表示させる前記コンテンツの階層の表示数を変更することを特徴とする携帯電子機器。
【請求項２】
第１の表示部を有する第１の筐体と、
第２の表示部を有する第２の筐体と、
前記第１の表示部が外部に露出するとともに、前記第２の表示部が前記第１の筐体に覆い隠された閉状態から、前記第１の表示部および前記第２の表示部が外部に露出する開状態まで前記第１の表示部および前記第２の筐体を遷移させる連結機構と、
前記第１の表示部にコンテンツの少なくとも一部が表示されている状態において、前記第１の筐体および前記第２の筐体の連結状態の遷移にともなう前記第２の表示部の露出部分の面積の変化に応じて、前記第１の表示部および前記第２の表示部における前記コンテンツの表示を制御する制御部と、を備え、
前記制御部は、前記コンテンツの縦横比に応じて、当該コンテンツ全体を表示させるために必要な前記露出部分の面積を前記第１の表示部または前記第２の表示部に表示させることを特徴とする携帯電子機器。
【請求項３】
前記制御部は、前記コンテンツの縦横比を保ったままで前記コンテンツを前記第１の表示部および前記露出部分にまたがって表示させることを特徴とする請求項１または２に記載の携帯電子機器。
【請求項４】
前記制御部は、前記第１の表示部および前記第２の表示部の表示領域のうち、前記コンテンツを表示させる必要がない部分に対応する前記第１の表示部または前記第２の表示部の少なくとも一方の表示領域に対応する光源の発光を停止させることを特徴とする請求項１から３のいずれか１項に記載の携帯電子機器。
【請求項５】
前記制御部は、前記第１の筐体および前記第２の筐体の遷移量に基づいて、前記露出部分の面積の変化量を判定することを特徴とする請求項１から４のいずれか１項に記載の携帯電子機器。
【請求項６】
第１の表示部を有する第１の筐体と、
第２の表示部を有する第２の筐体と、
前記第１の表示部が外部に露出するとともに、前記第２の表示部が前記第１の筐体に覆い隠された閉状態から、前記第１の表示部および前記第２の表示部が外部に露出する開状態まで前記第１の表示部および前記第２の筐体を遷移させる連結機構とを有する携帯電子機器による画面制御方法であって、
前記第２の表示部の露出部分の面積を検出するステップと、
前記第１の表示部にコンテンツの少なくとも一部が表示されている状態において、前記第１の筐体および前記第２の筐体の連結状態の遷移にともなう前記露出部分の面積の変化に応じて、前記第１の表示部および前記第２の表示部に表示させる前記コンテンツの階層の表示数を変更するステップと
を含むことを特徴とする画面制御方法。
【請求項７】
第１の表示部を有する第１の筐体と、
第２の表示部を有する第２の筐体と、
前記第１の表示部が外部に露出するとともに、前記第２の表示部が前記第１の筐体に覆い隠された閉状態から、前記第１の表示部および前記第２の表示部が外部に露出する開状態まで前記第１の表示部および前記第２の筐体を遷移させる連結機構とを有する携帯電子機器に、
前記第２の表示部の露出部分の面積を検出するステップと、
前記第１の表示部にコンテンツの少なくとも一部が表示されている状態において、前記第１の筐体および前記第２の筐体の連結状態の遷移にともなう前記露出部分の面積の変化に応じて、前記第１の表示部および前記第２の表示部に表示させる前記コンテンツの階層の表示数を変更するステップと
を実行させることを特徴とする画面制御プログラム。
【発明の詳細な説明】
【技術分野】
【０００１】
本発明は、携帯電子機器、画面制御方法および画面制御プログラムに関する。
【背景技術】
【０００２】
従来より、第１の筐体と第２の筐体とがスライド式に開閉可能に連結される携帯端末が存在する。また、特許文献１では、２つのタッチパネルを有し、２つのタッチパネルが露出する開状態と１つのタッチパネルのみが露出する閉状態のいずれかに変形し、開状態にて受信した発信元へ、閉状態への変位を契機として発信をする携帯電話端末が提案されている。
【先行技術文献】
【特許文献】
【０００３】
【特許文献１】特開２００９−１６４７９４号公報
【発明の概要】
【発明が解決しようとする課題】
【０００４】
上記の特許文献１に記載されている従来技術では、２つのタッチパネルを有する携帯電話端末を開状態または閉状態のいずれか一方で使用することが想定されている。しかしながら、例えば、人が密集していて携帯電話端末を開状態にする余裕がないような場合には、開状態と閉状態の中間的な状態で携帯電話端末を使用できることが好ましい。
【０００５】
本発明は、上記に鑑みてなされたものであって、利用者の利便性を向上させることができる携帯電子機器、画面制御方法および画面制御プログラムを提供することを目的とする。
【課題を解決するための手段】
【０００６】
上述した課題を解決し、目的を達成するために、本発明は、第１の表示部を有する第１の筐体と、第２の表示部を有する第２の筐体と、前記第１の表示部が外部に露出するとともに、前記第２の表示部が前記第１の筐体に覆い隠された閉状態から、前記第１の表示部および前記第２の表示部が外部に露出する開状態まで前記第１の表示部および前記第２の筐体を遷移させる連結機構と、前記第１の表示部にコンテンツの少なくとも一部が表示されている状態において、前記第１の筐体および前記第２の筐体の連結状態の遷移にともなう前記第２の表示部の露出部分の面積の変化に応じて、前記第１の表示部および前記第２の表示部における前記コンテンツの表示を制御する制御部と、を備え、前記制御部は、前記第１の筐体および前記第２の筐体の遷移にともなう前記露出部分の面積の変化に応じて、前記第１の表示部および前記第２の表示部に表示させる前記コンテンツの階層の表示数を変更することを特徴とする。
【００１１】
上述した課題を解決し、目的を達成するために、本発明は、第１の表示部を有する第１の筐体と、第２の表示部を有する第２の筐体と、前記第１の表示部が外部に露出するとともに、前記第２の表示部が前記第１の筐体に覆い隠された閉状態から、前記第１の表示部および前記第２の表示部が外部に露出する開状態まで前記第１の表示部および前記第２の筐体を遷移させる連結機構と、前記第１の表示部にコンテンツの少なくとも一部が表示されている状態において、前記第１の筐体および前記第２の筐体の連結状態の遷移にともなう前記第２の表示部の露出部分の面積の変化に応じて、前記第１の表示部および前記第２の表示部における前記コンテンツの表示を制御する制御部と、を備え、前記制御部は、前記コンテンツの縦横比に応じて、当該コンテンツ全体を表示させるために必要な前記露出部分の面積を前記第１の表示部または前記第２の表示部に表示させることを特徴とする。
【００１２】
また、前記制御部は、前記コンテンツの縦横比を保ったままで前記コンテンツを前記第１の表示部および前記露出部分にまたがって表示させることが好ましい。
【００１３】
また、前記制御部は、前記第１の表示部および前記第２の表示部の表示領域のうち、前記コンテンツを表示させる必要がない部分に対応する前記第１の表示部または前記第２の表示部の少なくとも一方の表示領域に対応する光源の発光を停止させることが好ましい。
【００１４】
また、前記制御部は、前記第１の筐体および前記第２の筐体の遷移量に基づいて、前記露出部分の面積の変化量を判定することが好ましい。
【００１５】
また、上述した課題を解決し、目的を達成するために、本発明は、第１の表示部を有する第１の筐体と、第２の表示部を有する第２の筐体と、前記第１の表示部が外部に露出するとともに、前記第２の表示部が前記第１の筐体に覆い隠された閉状態から、前記第１の表示部および前記第２の表示部が外部に露出する開状態まで前記第１の表示部および前記第２の筐体を遷移させる連結機構とを有する携帯電子機器による画面制御方法であって、前記第２の表示部の露出部分の面積を検出するステップと、前記第１の表示部にコンテンツの少なくとも一部が表示されている状態において、前記第１の筐体および前記第２の筐体の連結状態の遷移にともなう前記露出部分の面積の変化に応じて、前記第１の表示部および前記第２の表示部に表示させる前記コンテンツの階層の表示数を変更するステップとを含むことを特徴とする。
【００１６】
また、上述した課題を解決し、目的を達成するために、本発明は、画面制御プログラムであって、第１の表示部を有する第１の筐体と、第２の表示部を有する第２の筐体と、前記第１の表示部が外部に露出するとともに、前記第２の表示部が前記第１の筐体に覆い隠された閉状態から、前記第１の表示部および前記第２の表示部が外部に露出する開状態まで前記第１の表示部および前記第２の筐体を遷移させる連結機構とを有する携帯電子機器に、前記第２の表示部の露出部分の面積を検出するステップと、前記第１の表示部にコンテンツの少なくとも一部が表示されている状態において、前記第１の筐体および前記第２の筐体の連結状態の遷移にともなう前記露出部分の面積の変化に応じて、前記第１の表示部および前記第２の表示部に表示させる前記コンテンツの階層の表示数を変更するステップとを実行させることを特徴とする。
【発明の効果】
【００１７】
本発明に係る携帯電子機器、画面制御方法および画面制御プログラムは、利用者の利便性を向上させることができるという効果を奏する。
【図面の簡単な説明】
【００１８】
【図１】図１は、第１の形態にある携帯電話端末の斜視図である。
【図２】図２は、第２の形態にある携帯電話端末の斜視図である。
【図３】図３は、第２の形態にある携帯電話端末の正面図である。
【図４】図４は、携帯電話端末のＢ−Ｂ’断面の概略図である。
【図５−１】図５−１は、高さに合わせてコンテンツを表示する場合の一例を示す図である。
【図５−２】図５−２は、第１の形態での第２の表示部を示す図である。
【図５−３】図５−３は、半分露出している状態での第２の表示部を示す図である。
【図６】図６は、幅に合わせてコンテンツを表示する場合の一例を示す図である。
【図７】図７は、コンテンツを常に最大限に表示する場合の一例を示す図である。
【図８】図８は、階層化されたコンテンツを表示する場合の一例を示す図である。
【図９】図９は、携帯電話端末の機能的な構成を示すブロック図である。
【図１０】図１０は、単一のコンテンツを表示する場合の処理手順を示すフロー図である。
【図１１】図１１は、階層化されたコンテンツを表示する場合の処理手順を示すフロー図である。
【図１２】図１２は、第２の表示部の好適な露出面積を提示する例を示す図である。
【発明を実施するための形態】
【００１９】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話端末を例として説明するが、本発明の適用対象は携帯電話端末に限定されるものではなく、複数の表示部を備える各種装置、例えば、ＰＨＳ（Personal  Handyphone  System）、ＰＤＡ、ポータブルナビゲーション装置、パーソナルコンピュータ、ゲーム機等に対しても本発明は適用できる。
【００２０】
（実施形態）
まず、図１から図４を参照しながら、本発明に係る携帯電子機器の一実施形態である携帯電話端末１の形状について説明する。図１は、第１の形態にある携帯電話端末１の斜視図である。図２は、第２の形態にある携帯電話端末１の斜視図である。図３は、第２の形態にある携帯電話端末１の正面図である。図４は、携帯電話端末１のＢ−Ｂ’断面の概略図である。
【００２１】
携帯電話端末１は、第１の筐体１Ａと、第２の筐体１Ｂとを有する。第１の筐体１Ａは、第２の筐体１Ｂに対して矢印Ａの方向に相対的にスライド可能に構成されている。第１の筐体１Ａのスライドは、第１の筐体１Ａに設けられたレール１５Ａと、第２の筐体１Ｂに設けられ、レール１５Ａと係合するアーム１５Ｂとからなる連結機構によって実現される。
【００２２】
第１の筐体１Ａは、第２の筐体１Ｂと対向する面と反対側の面にタッチパネル２を有する。第２の筐体１Ｂは、第１の筐体１Ａと対向する面にタッチパネル３を有する。タッチパネル２およびタッチパネル３は、文字、図形、画像等を表示するとともに、利用者が指やスタイラス等（以下、単に「指」という）を用いて当該タッチパネルに対して行う各種操作を検出する。
【００２３】
タッチパネル３は、第１の筐体１Ａと第２の筐体１Ｂとが重なり合う第１の形態（閉状態）では第１の筐体１Ａによって覆い隠される。また、タッチパネル３は、第１の筐体１Ａが矢印Ａの方向に最大限スライドした第２の形態（開状態）では外部に露出する。
【００２４】
第１の形態は、利用者が携帯電話端末１を持ち運ぶのに適した形態であり、この形態でも利用者は、タッチパネル２に表示される情報を参照したり、タッチパネル２を指で操作して情報を入力したりすることができる。第２の形態は、利用者が携帯電話端末１を利用するのに適した形態であり、利用者は、タッチパネル２とタッチパネル３とを併用して、より多くの情報を参照することができる。
【００２５】
携帯電話端末１は、第１の形態および第２の形態に加えて、その中間的な形態もとる。すなわち、第１の筐体１Ａは、矢印Ａの方向にスライドする過程において、少なくとも一度は、第２の筐体１Ｂとの相対位置が固定されるように構成されている。第１の筐体１Ａの位置の固定は、例えば、弾性体による圧迫によって実現されてもよいし、ストッパー等の係合によって実現されてもよいし、摩擦抵抗、磁力、または、メカトロニクス部品の駆動等によって実現されてもよい。また、第１の筐体１Ａが無段階に位置を固定できるようにしてもよい。
【００２６】
なお、以下の説明では、常時外部に露出しているタッチパネル２を第１の表示部と呼び、第１の形態では第１の筐体１Ａによって覆い隠され第２の形態では外部に露出するタッチパネル３を第２の表示部と呼ぶことがある。
【００２７】
次に、図５−１から図５−３および図６から図８を参照しながら、携帯電話端末１がコンテンツを表示するための制御について説明する。なお、コンテンツとは、タッチパネル２およびタッチパネル３に表示されるデータを意味し、例えば、画像データ、動画データ、ＷＥＢページ、文書データ、アプリケーションプログラムによって提供される操作画面である。
【００２８】
図５−１は、高さに合わせてコンテンツを表示する場合の一例を示す図である。図５−１に示すステップＳ１１では、携帯電話端末１は、第１の形態を取っており、タッチパネル３は、第１の筐体１Ａによって覆い隠されている。そして、携帯電話端末１は、高さ方向で縮尺を合わせて、タッチパネル２に画像データ２０を表示させている。その結果、タッチパネル２の右約半分は余白２１となり、何も表示されない状態となっている。
【００２９】
ここで、ステップＳ１２のように、利用者が第１の筐体１Ａをスライドさせ、タッチパネル３を半分だけ露出させたものとする。この場合、携帯電話端末１は、タッチパネル２の高さと、タッチパネル３の露出部分の高さとを合わせた高さに合うように縮尺を変更して、画像データ２０をタッチパネル２およびタッチパネル３にまたがって表示させる。その結果、余白２１は幅が狭くなり、タッチパネル２およびタッチパネル３にまたがって形成されている。
【００３０】
さらに、ステップＳ１３のように、利用者が第１の筐体１Ａを最大限にスライドさせ、タッチパネル３の全体を露出させたものとする。この場合、携帯電話端末１は、タッチパネル２の高さと、タッチパネル３の高さとを合わせた高さに合うように縮尺を変更して、画像データ２０をタッチパネル２およびタッチパネル３にまたがって表示させる。その結果、余白２１はさらに幅が狭くなり、タッチパネル２およびタッチパネル３にまたがって形成されている。
【００３１】
このように、携帯電話端末１は、第１の筐体１Ａがスライドされた場合に、タッチパネル３の露出面積の変化に応じて縮尺を変更して、タッチパネル２およびタッチパネル３にまたがって画像データ２０を表示させる。このように表示を制御することにより、第１の形態および第２の形態の中間的な形態においても、利用可能な表示領域を有効に利用してコンテンツを表示させることができる。
【００３２】
さらに、携帯電話端末１は、タッチパネル３の露出面積の変化に応じて、タッチパネル３の発光を制御して省電力を実現する。例えば、図５−１に示したステップＳ１１では、タッチパネル３は第１の筐体１Ａによって全体が覆い隠されており、利用者はタッチパネル３を見ることができない。このように、タッチパネル３が全く露出していない場合には、携帯電話端末１は、図５−２に示すように、タッチパネル３全体を、光源が発光しない非発光領域２２とする。
【００３３】
また、例えば、図５−１に示したステップＳ１２では、タッチパネル３は第１の筐体１Ａによって上半分が覆い隠されており、利用者はタッチパネル３の上半分を見ることができない。このように、タッチパネル３の上半分が全く露出していない場合には、携帯電話端末１は、図５−３に示すように、タッチパネル３全の上半分を非発光領域２２とする。
【００３４】
タッチパネル３が冷陰極管やＬＥＤ（Light  Emitting  Diode）等の光源を用いて発光するバックライト式の表示装置の場合、非発光領域２２に対応する光源の発光を停止させることによって非発光領域２２での発光が抑制される。また、タッチパネル３が有機ＥＬ（Organic  Electro−Luminescence）パネル等の自発光式の表示装置の場合、非発光領域２２に対応する画素の発光を停止させることによって非発光領域２２での発光が抑制される。
【００３５】
なお、図５−１のステップＳ１１からステップＳ１３において、余白２１も発光しないようにタッチパネル２およびタッチパネル３を制御することが好ましい。このように、余白２１も発光しないように制御することにより、省電力の効果をさらに高めることができる。
【００３６】
図５−１では、高さに合わせてコンテンツを表示する例を示したが、携帯電話端末１は、幅に合わせてコンテンツを表示することもできる。図６は、幅に合わせてコンテンツを表示する場合の一例を示す図である。図６に示すステップＳ２１では、携帯電話端末１は、第１の形態を取っており、タッチパネル３は、第１の筐体１Ａによって覆い隠されている。そして、携帯電話端末１は、幅方向で縮尺を合わせて、タッチパネル２に画像データ２０を表示させている。その結果、タッチパネル２には画像データ２０の一部のみが表示されている。
【００３７】
ステップＳ２１において、タッチパネル２の右端にはスライダ２５を含むスクロールバー２４が表示されている。携帯電話端末１は、画像データ２０の表示部分の範囲および位置と、スライダ２５の大きさおよび位置とを連動させる。すなわち、携帯電話端末１は、画像データ２０全体の高さに対する画像データ２０の表示部分の高さの比率と、スクロールバー２４の高さに対するスライダ２５の高さの比率とを一致させる。また、携帯電話端末１は、画像データ２０における表示部分の位置と、スクロールバー２４におけるスライダ２５の位置とを一致させる。例えば、携帯電話端末１は、画像データ２０の最も上の部分を表示させる場合には、スライダ２５をスクロールバー２４の最も上まで移動させ、画像データ２０の最も下の部分を表示させる場合には、スライダ２５をスクロールバー２４の最も下まで移動させる。
【００３８】
ここで、ステップＳ２２のように、利用者が第１の筐体１Ａをスライドさせ、タッチパネル３を半分だけ露出させたものとする。この場合、携帯電話端末１は、タッチパネル３の露出部分の高さだけ画像データ２０の表示部分を広げる。そして、携帯電話端末１は、広げられた表示部分に合わせてスクロールバー２４の表示を更新する。その結果、ステップＳ２２ではステップＳ２１よりも、スクロールバー２４の高さに対するスライダ２５の高さの比率が大きくなっている。また、ステップＳ２２では、スクロールバー２４が、タッチパネル２およびタッチパネル３にまたがって表示されている。
【００３９】
さらに、ステップＳ２３のように、利用者が画像データ２０をスクロールさせるための操作をタッチパネル２またはタッチパネル３に対して行ったものとする。この場合、携帯電話端末１は、操作に従って、画像データ２０の表示部分を変更させる。また、携帯電話端末１は、変更後の表示部分の位置に合わせて、スクロールバー２４におけるスライダ２５の位置を変更する。なお、この場合、スライダ２５の大きさは変更されない。
【００４０】
また、ステップＳ２２の状態から、ステップＳ２４のように、利用者が第１の筐体１Ａを最大限にスライドさせ、タッチパネル３の全体を露出させたものとする。この場合、携帯電話端末１は、タッチパネル３の新たに露出された部分の高さ分だけ画像データ２０の表示部分を広げる。そして、携帯電話端末１は、広げられた表示部分に合わせてスクロールバー２４の表示を更新する。その結果、ステップＳ２４ではステップＳ２２よりも、スクロールバー２４の高さに対するスライダ２５の高さの比率が大きくなっている。
【００４１】
このように、携帯電話端末１は、コンテンツの一部を表示する場合に、コンテンツの表示部分の範囲および位置に合わせてスクロールバーを表示する。そして、コンテンツがタッチパネル２およびタッチパネル３にまたがって表示され、スクロール方向がタッチパネル２およびタッチパネル３の境界線と直交している場合には、スクロールバーは、タッチパネル２およびタッチパネル３にまたがって表示される。
【００４２】
なお、図５−１では、コンテンツの横に余白２１が形成される例を示し、図６では、縦方向にスクロールバーが表示される例を示したが、コンテンツの縦横比とタッチパネル２およびタッチパネル３の縦横比に応じて表示のされ方は異なる。例えば、高さに合わせてコンテンツを表示する場合に、コンテンツの一部のみしか表示されずに横方向にスクロールバーが表示されることもある。また、幅に合わせてコンテンツを表示する場合に、コンテンツの上または下に余白が形成されることもある。
【００４３】
また、利用者の操作に従ってコンテンツが拡大表示されて、縦方向および横方向にスクロールバーが表示されることもある。また、利用者の操作に従ってコンテンツが縮小表示されて、コンテンツの上下左右に余白が形成されることもある。
【００４４】
また、コンテンツの縦横比を固定せずに、コンテンツを常に最大限に表示することもできる。図７は、コンテンツを常に最大限に表示する場合の一例を示す図である。図７に示すステップＳ３１では、携帯電話端末１は、第１の形態を取っており、タッチパネル３は、第１の筐体１Ａによって覆い隠されている。そして、携帯電話端末１は、タッチパネル２の高さと幅に合わせて縦横比を変更して、画像データ２０をタッチパネル２に表示させている。その結果、画像データ２０は横方向に引き延ばされたような状態で表示されている。
【００４５】
ここで、ステップＳ３２のように、利用者が第１の筐体１Ａをスライドさせ、タッチパネル３を半分だけ露出させたものとする。この場合、携帯電話端末１は、画像データ２０の縦横比を変更して、タッチパネル２と、タッチパネル３の露出部分とを合わせた表示領域いっぱいに表示させる。その結果、画像データ２０は横方向への引き延ばしの度合いが小さくなっている。
【００４６】
さらに、ステップＳ３３のように、利用者が第１の筐体１Ａを最大限にスライドさせ、タッチパネル３の全体を露出させたものとする。この場合、携帯電話端末１は、画像データ２０の縦横比を変更して、タッチパネル２と、タッチパネル３とを合わせた表示領域いっぱいに表示させる。その結果、画像データ２０は横方向への引き延ばしの度合いがさらに小さくなっている。
【００４７】
このように表示を制御することにより、利用可能な表示領域を最大限に利用してコンテンツを表示させることができる。
【００４８】
なお、これまで単一のコンテンツを表示する例について説明してきたが、携帯電話端末１は、階層化されたコンテンツを表示することもできる。階層化されたコンテンツとは、優先順位を付けられたコンテンツの集合体である。携帯電話端末１は、階層化されたコンテンツが表示対象である場合、タッチパネル３の露出面積の変化に応じて、表示領域を割り当て可能なコンテンツを、優先度が高い順に表示する。
【００４９】
図８は、階層化されたコンテンツを表示する場合の一例を示す図である。図８に示すステップＳ４１では、携帯電話端末１は、第１の形態を取っており、タッチパネル３は、第１の筐体１Ａによって覆い隠されている。そして、携帯電話端末１は、最も高い優先度をもつ階層のコンテンツであるニュース情報２６ａをタッチパネル２に表示させている。ニュース情報２６ａは、タッチパネル２全体を用いて表示されるように指定されているため、ステップＳ４１では、ニュース情報２６ａのみが表示される。
【００５０】
ここで、ステップＳ４２のように、利用者が第１の筐体１Ａをスライドさせ、タッチパネル３を半分だけ露出させたものとする。この場合、携帯電話端末１は、２番目に高い優先度をもつ階層のコンテンツである天気情報２６ｂをタッチパネル３に表示させる。天気情報２６ｂは、タッチパネル３の半分を用いて表示されるように指定されている。その結果、ステップＳ４２では、ニュース情報２６ａおよび天気情報２６ｂが表示される。
【００５１】
さらに、ステップＳ４３のように、利用者が第１の筐体１Ａを最大限にスライドさせ、タッチパネル３の全体を露出させたものとする。この場合、携帯電話端末１は、最も低い優先度をもつ階層のコンテンツである占い情報２６ｃをタッチパネル３に表示させる。占い情報２６ｃは、タッチパネル３の半分を用いて表示されるように指定されている。その結果、ステップＳ４３では、ニュース情報２６ａ、天気情報２６ｂおよび占い情報２６ｃが表示される。
【００５２】
このように、携帯電話端末１は、タッチパネル３の露出面積に応じて、表示させるコンテンツの階層を変更する。このように制御することにより、利用者は、第１の筐体１Ａのスライド量を変更することで、参照するコンテンツの階層を任意に切り替えることができる。
【００５３】
なお、階層化されたコンテンツの他の例として、テレビ放送や動画配信によるコンテンツがある。テレビ放送や動画配信によるコンテンツは、例えば、最も高い優先度をもつ階層として動画を含み、２番目に高い優先度をもつ階層として動画の解説や字幕を含み、最も低い優先度をもつ階層として視聴者が投稿したコメントを含む。
【００５４】
次に、図９を参照しながら、携帯電話端末１の機能的な構成について説明する。図９は、携帯電話端末１の機能的な構成を示すブロック図である。図９に示すように携帯電話端末１は、タッチパネル２と、タッチパネル３と、露出面積検出部４と、電源部５と、通信部６と、スピーカ７と、マイク８と、記憶部９と、主制御部１０と、ＲＡＭ（Random  Access  Memory）１１とを有する。なお、タッチパネル２が第１の筐体１Ａに設けられ、タッチパネル３が第２の筐体１Ｂに設けられることを除いて、各部位は、第１の筐体１Ａと第２の筐体１Ｂのいずれに設けられてもよい。
【００５５】
タッチパネル２は、表示部２Ｂと、表示部２Ｂに重畳されたタッチセンサ２Ａとを有する。タッチパネル３は、表示部３Ｂと、表示部３Ｂに重畳されたタッチセンサ３Ａとを有する。タッチセンサ２Ａおよびタッチセンサ３Ａは、指を用いて表面に対して行われた各種操作を、操作が行われた位置とともに検出する。タッチセンサ２Ａおよびタッチセンサ３Ａによって検出される操作には、シングルタップ操作、ダブルタップ操作、ロングタップ操作等が含まれる。表示部２Ｂおよび表示部３Ｂは、例えば、液晶ディスプレイ（ＬＣＤ、Liquid  Crystal  Display）や、有機ＥＬ（Organic  Electro−Luminescence）パネル等で構成され、文字、図形、画像等を表示する。
【００５６】
露出面積検出部４は、タッチパネル３の露出面積、すなわち、タッチパネル３の表面のうち第１の筐体１Ａによって覆い隠されていない部分の面積を検出する。タッチパネル３の露出面積の検出は、例えば、第１の筐体１Ａのスライド量を計測することによって実現してもよいし、タッチパネル３の設置面に設けた各種センサを用いて実現してもよい。
【００５７】
電源部５は、蓄電池または外部電源から得られる電力を、主制御部１０を含む携帯電話端末１の各機能部へ供給する。通信部６は、基地局によって割り当てられるチャネルを介し、基地局との間でＣＤＭＡ方式等による無線信号回線を確立し、基地局との間で電話通信及び情報通信を行う。スピーカ７は、電話通信における相手側の音声や着信音等を出力する。マイク８は、利用者等の音声を電気的な信号へ変換する。
【００５８】
記憶部９は、例えば、不揮発性メモリや磁気記憶装置であり、主制御部１０での処理に利用されるプログラムやデータを保存する。具体的には、記憶部９は、電子メール機能を実現するためのメールプログラム９Ａや、ＷＥＢブラウジング機能を実現するためのブラウザプログラム９Ｂや、通話機能を実現するための通話プログラム９Ｃや、上述したような画面制御を実現するための画面制御プログラム９Ｄや、再生対象のコンテンツである再生コンテンツ９Ｅを記憶する。記憶部９には、その他に、携帯電話端末１の基本的な機能を実現するオペレーティングシステムプログラムや、氏名、電話番号、メールアドレス等が登録されたアドレス帳データ等の他のプログラムやデータも記憶される。
【００５９】
主制御部１０は、例えば、ＣＰＵ（Central  Processing  Unit）であり、携帯電話端末１の動作を統括的に制御する。具体的には、主制御部１０は、記憶部９に記憶されているデータを必要に応じて参照しつつ、記憶部９に記憶されているプログラムを実行して、タッチパネル２、通信部６等を制御することによって各種処理を実行する。主制御部１０は、記憶部９に記憶されているプログラムや、処理を実行することによって取得／生成／加工されたデータを、一時的な記憶領域を提供するＲＡＭ１１に必要に応じて展開する。なお、主制御部１０が実行するプログラムや参照するデータは、通信部６による無線通信でサーバ装置からダウンロードすることとしてもよい。
【００６０】
例えば、主制御部１０は、メールプログラム９Ａを実行することによって、電子メール機能を実現する。また、主制御部１０は、画面制御プログラム９Ｄを実行することによって、タッチパネル３の露出面積の変化に応じてコンテンツの表示を更新する機能等を実現する。
【００６１】
次に、図１０および図１１を参照しながら、画面制御プログラム９Ｄに基づいて主制御部１０が実行する処理手順について説明する。
【００６２】
図１０は、単一のコンテンツを表示する場合の処理手順を示すフロー図である。図１０に示すように、主制御部１０は、まず、ステップＳ１０１として、第２の表示部（タッチパネル３）の露出面積を露出面積検出部４から取得する。そして、主制御部１０は、ステップＳ１０２として、第２の表示部の露出している部分に対応する光源を点灯させ、ステップＳ１０３として、第２の表示部の露出していない部分に対応する光源を消灯させる。
【００６３】
続いて、主制御部１０は、ステップＳ１０４として、指定された表示方式に従って表示対象のコンテンツの全体を表示可能であるかを判定する。ここでいう表示方式とは、例えば、図５に示したように高さに合わせる方式や、図７に示したように最大限に表示させる方式等である。また、ここでは、第２の表示部が一部でも露出している場合、第１の表示部の全体と、第２の表示部の露出部分とを合わせた領域がコンテンツの表示領域として扱われる。
【００６４】
そして、表示対象のコンテンツの全体を表示可能である場合（ステップＳ１０４，Ｙｅｓ）、主制御部１０は、ステップＳ１０５として、第１の表示部（タッチパネル２）および第２の表示部の余白部分を算出し、余白部分に対応する光源を消灯させる。
【００６５】
一方、表示対象のコンテンツの全体を表示可能でない場合（ステップＳ１０４，Ｎｏ）、主制御部１０は、ステップＳ１０６として、コンテンツの表示部分の範囲と位置とに基づいて、スライダの大きさと表示位置を算出する。そして、主制御部１０は、ステップＳ１０７として、スライダを含むスクロールバーを表示させる。ここで、スクロールバーは、第１の表示部および第２の表示部にまたがって表示される場合がある。
【００６６】
続いて、主制御部１０は、ステップＳ１０８として、指定された表示方式に従って表示対象のコンテンツを表示させる。ここで、コンテンツを表示させる領域に対応する光源が消灯されている場合、主制御部１０は、コンテンツを表示させる領域に対応する光源を点灯させる。また、コンテンツは、第１の表示部および第２の表示部にまたがって表示される場合がある。
【００６７】
こうして、コンテンツを表示させた後、スクロールバーが表示されている場合（ステップＳ１０９，Ｙｅｓ）、主制御部１０は、ステップＳ１１０として、コンテンツをスクロールさせる操作が利用者によって行われたかを判定する。そして、スクロール操作が行われた場合（ステップＳ１１０，Ｙｅｓ）、主制御部１０は、ステップＳ１１１として、スクロール後のコンテンツの表示部分の位置に基づいて、スライダの表示位置を再計算する。そして、主制御部１０は、ステップＳ１０７へ戻って、スクロールバーとコンテンツの表示を更新する。
【００６８】
スクロールバーが表示されていない場合（ステップＳ１０９，Ｎｏ）、または、スクロール操作が行われていない場合（ステップＳ１１０，Ｎｏ）、主制御部１０は、ステップＳ１１２として、コンテンツの縮尺を変化させるリサイズ操作が利用者によって行われたかを判定する。そして、リサイズ操作が行われた場合（ステップＳ１１２，Ｙｅｓ）、主制御部１０は、ステップＳ１０４へ戻って、コンテンツの全体を表示可能であるかの判定をやり直す。
【００６９】
また、リサイズ操作が行われていない場合（ステップＳ１１２，Ｎｏ）、主制御部１０は、ステップＳ１１３として、第２の表示部の露出面積が変化しているかを判定する。第２の表示部の露出面積が変化していた場合（ステップＳ１１３，Ｙｅｓ）、主制御部１０は、ステップＳ１０１へ戻って、第２の表示部の露出面積を取得する手順からやり直す。
【００７０】
第２の表示部の露出面積が変化していない場合（ステップＳ１１３，Ｎｏ）、主制御部１０は、ステップＳ１１４として、表示終了の指示が利用者等からなされたかを判定する。表示終了の指示がなされていた場合（ステップＳ１１４，Ｙｅｓ）、主制御部１０は、処理を終了させる。一方、表示終了の指示がなされていない場合（ステップＳ１１４，Ｎｏ）、主制御部１０は、ステップＳ１０９以降の判定を再実行する。
【００７１】
図１１は、階層化されたコンテンツを表示する場合の処理手順を示すフロー図である。図１１に示すように、主制御部１０は、まず、ステップＳ２０１として、第２の表示部（タッチパネル３）の露出面積を露出面積検出部４から取得する。そして、主制御部１０は、ステップＳ２０２として、第２の表示部の露出している部分に対応する光源を点灯させ、ステップＳ２０３として、第２の表示部の露出していない部分に対応する光源を消灯させる。
【００７２】
続いて、主制御部１０は、ステップＳ２０４として、階層ごとに設定された表示条件と優先度とに基づいて、階層化されたコンテンツのどの階層まで表示可能であるかを判定する。ここでは、第２の表示部が一部でも露出している場合、第１の表示部の全体と、第２の表示部の露出部分とを合わせた領域がコンテンツの表示領域として扱われる。そして、主制御部１０は、ステップＳ２０５として、表示可能と判定した階層までのコンテンツを表示させる。ここで、コンテンツは、第１の表示部および第２の表示部にまたがって表示される場合がある。
【００７３】
こうして、コンテンツを表示させた後、主制御部１０は、ステップＳ２０６として、第２の表示部の露出面積が変化しているかを判定する。第２の表示部の露出面積が変化していた場合（ステップＳ２０６，Ｙｅｓ）、主制御部１０は、ステップＳ２０１へ戻って、第２の表示部の露出面積を取得する手順からやり直す。
【００７４】
第２の表示部の露出面積が変化していない場合（ステップＳ２０６，Ｎｏ）、主制御部１０は、ステップＳ２０７として、表示終了の指示が利用者等からなされたかを判定する。表示終了の指示がなされていた場合（ステップＳ２０７，Ｙｅｓ）、主制御部１０は、処理を終了させる。一方、表示終了の指示がなされていない場合（ステップＳ２０７，Ｎｏ）、主制御部１０は、ステップＳ２０６以降の判定を再実行する。
【００７５】
上述してきたように、本実施形態では、タッチパネル３の露出面積の変化に応じてコンテンツの表示を制御することとしたので、利用者の利便性を向上させることができる。
【００７６】
なお、上記の各実施形態で示した本発明の態様は、本発明の要旨を逸脱しない範囲で任意に変更することができる。例えば、画面制御プログラム９Ｄは、複数のモジュールに分割されていてもよいし、他のプログラムと統合されていてもよい。
【００７７】
また、上記の実施形態では、表示部および操作部がタッチパネルとして一体化している例を示したが、表示部および操作部は、別々に設けられていてもよい。すなわち、第１の表示部と第２の表示部は、タッチパネルである必要はなく、単なる表示パネルであってもよい。また、携帯電話端末１は、３つ以上の表示部を備えてもよい。
【００７８】
また、上記の実施形態では、タッチパネル３の露出面積の変化に応じてコンテンツの表示を制御することとしたが、表示対象のコンテンツに応じて、タッチパネル３の好適な露出面積を提示することとしてもよい。
【００７９】
図１２は、タッチパネル３の好適な露出面積を提示する例を示す図である。図１２に示すステップＳ５１では、携帯電話端末１は、第１の形態を取っており、タッチパネル３は、第１の筐体１Ａによって覆い隠されている。そして、携帯電話端末１は、高さ方向で縮尺を合わせて、タッチパネル２に画像データ２７を表示させている。その結果、タッチパネル２の右約１／３は余白となり、何も表示されない状態となっている。
【００８０】
このように余白が生じている場合、携帯電話端末１は、タッチパネル３の露出面積をどれだけにすれば、余白を生じさせることなく画像データ２７を表示させることができるかを算出する。具体的には、携帯電話端末１は、タッチパネル２およびタッチパネル３を合わせた表示領域の縦横比が画像データ２７の縦横比と同一になるときのタッチパネル３の露出面積を算出する。
【００８１】
そして、携帯電話端末１は、算出結果に基づいて、タッチパネル３の露出面積をどれだけにすれば好適であるかを示すメッセージ２８をタッチパネル２に表示する。なお、タッチパネル３が一部でも露出している場合には、メッセージ２８をタッチパネル３に表示してもよい。
【００８２】
ここで、ステップＳ５２のように、利用者がメッセージ２８に従って第１の筐体１Ａをスライドさせたものとする。この場合、携帯電話端末１は、タッチパネル２の高さと、タッチパネル３の露出部分の高さとを合わせた高さに合うように縮尺を変更して、画像データ２７をタッチパネル２およびタッチパネル３にまたがって表示させる。その結果、ステップＳ５２では、画像データ２７は、余白を生じることなく表示されている。
【産業上の利用可能性】
【００８３】
以上のように、本発明に係る携帯電子機器、画面制御方法および画面制御プログラムは、画面の制御に有効であり、利用者の利便性を向上させることが必要な場合に特に適している。
【符号の説明】
【００８４】
１  携帯電話端末
１Ａ  第１の筐体
１Ｂ  第２の筐体
２  タッチパネル（第１の表示部）
３  タッチパネル（第２の表示部）
４  露出面積検出部
５  電源部
６  通信部
７  スピーカ
８  マイク
９  記憶部
９Ａ  メールプログラム
９Ｂ  ブラウザプログラム
９Ｃ  通話プログラム
９Ｄ  画面制御プログラム
９Ｅ  再生コンテンツ
１０  主制御部
１１  ＲＡＭ
１５Ａ  レール
１５Ｂ  アーム
【図１】
0005542629.tif 000002
【図２】
0005542629.tif 000003
【図３】
0005542629.tif 000004
【図４】
0005542629.tif 000005
【図５−１】
0005542629.tif 000006
【図５−２】
0005542629.tif 000007
【図５−３】
0005542629.tif 000008
【図６】
0005542629.tif 000009
【図７】
0005542629.tif 000010
【図８】
0005542629.tif 000011
【図９】
0005542629.tif 000012
【図１０】
0005542629.tif 000013
【図１１】
0005542629.tif 000014
【図１２】
0005542629.tif 000015